(57)【要約】  無線通信装置を操作する方法は、メディア・ストリーミングを開始するストリーミング時刻のユーザ入力を無線通信装置で受付ける工程と、メディア・ストリーミング・コンテンツを提供するストリーミングサーバのネットワークアドレスのユーザ入力を無線通信装置で受付ける工程とを含む。ストリーミング時刻にネットワークアドレスで識別されるストリーミングサーバからメディア・ストリーミングを開始する工程が、無線リンクを通して開始される。関連する装置も開示される。
2008512946.tif 000002
【特許請求の範囲】
【請求項１】
無線通信装置を操作する方法であって、
将来のメディア・ストリーミングを開始するためのストリーミング時刻のユーザ入力を、前記無線通信装置で受付ける工程と、
メディア・ストリーミング・コンテンツを提供するためのストリーミングサーバのネットワークアドレスのユーザ入力を、前記無線通信装置で受付ける工程と、
前記ストリーミング時刻に、無線リンクを通して、前記ネットワークアドレスで識別されるストリーミングサーバからのメディア・ストリーミングを開始する工程と、を備えることを特徴とする方法。
【請求項２】
前記ストリーミング時刻のユーザ入力を受付ける前で、且つ前記ネットワークアドレスのユーザ入力を受付ける前に、複数の個人整理機能からカレンダ機能を選択するユーザ入力を、前記無線通信装置で受付ける工程と、
前記カレンダ機能を選択するユーザ入力を受付けた後に、メディア・ストリーミングを開始するストリーミング日付のユーザ入力を、前記無線通信装置で受付ける工程と、をさらに備え、
前記ストリーミング時刻のユーザ入力を受付ける工程は、前記カレンダ機能を選択するユーザ入力を受付けた後に、前記ストリーミング時刻のユーザ入力を受付ける工程を備え、
前記メディア・ストリーミングを開始する工程は、前記ストリーミング日付の前記ストリーミング時刻にメディア・ストリーミングを開始する工程を備えることを特徴とする請求項１に記載の方法。
【請求項３】
前記ストリーミング時刻に、予定のメディア・ストリーミングに関する情報を含む前記ストリーミング日付のカレンダ表示を提供する工程をさらに備えることを特徴とする請求項２に記載の方法。
【請求項４】
前記ストリーミング時刻のユーザ入力を受付ける前で、且つ前記ネットワークアドレスのユーザ入力を受付ける前に、カレンダ機能を含む複数の個人整理機能のメニューを提供する工程と、
前記複数の個人整理機能の前記メニューを提供した後に、前記複数の個人整理機能から前記カレンダ機能を選択するユーザ入力を、前記無線通信装置で受付ける工程と、
前記カレンダ機能を選択するユーザ入力の受付けに応答して、予約機能を含む複数のカレンダ機能のメニューを提供する工程と、
前記複数のカレンダ機能の前記メニューを提供した後に、前記予約機能を選択するユーザ入力を、前記無線通信装置で受付ける工程と、
前記予約機能を選択するユーザ入力を受付けた後に、メディア・ストリーミングを開始するストリーミング日付のユーザ入力を、前記無線通信装置で受付ける工程と、をさらに備え、
前記ストリーミング時刻のユーザ入力を受付ける工程は、前記カレンダ機能を選択するユーザ入力を受付けた後に、前記ストリーミング時刻のユーザ入力を受付ける工程を備え、
前記メディア・ストリーミングを開始する工程は、前記ストリーミング日付の前記ストリーミング時刻にメディア・ストリーミングを開始する工程を備えることを特徴とする請求項１に記載の方法。
【請求項５】
前記ストリーミング時刻のユーザ入力を受付ける前で、且つ前記ネットワークアドレスのユーザ入力の受付け前に、複数の個人整理機能からアラーム機能を選択するユーザ入力を、前記無線通信装置で受付ける工程をさらに備え、
前記ストリーミング時刻のユーザ入力を受付ける工程は、前記アラーム機能を選択するユーザ入力を受付けた後に、前記ストリーミング時刻のユーザ入力を受付ける工程を備え、
前記メディア・ストリーミングを開始する工程は、前記ストリーミング時刻にメディア・ストリーミングを開始する工程を備えることを特徴とする請求項１に記載の方法。
【請求項６】
前記メディア・ストリーミングを開始する工程は、
前記ストリーミング時刻にアラームを提供する工程と、
メディア・ストリーミングの開始を許可するユーザ入力を、前記無線通信装置で受付ける工程と、
メディア・ストリーミングの開始を許可するユーザ入力の受付けに応答して、前記ネットワークアドレスで識別される前記ストリーミングサーバに、無線リンクを通してストリーミング要求を送信する工程とを備えることを特徴とする請求項５に記載の方法。
【請求項７】
前記メディア・ストリーミングを開始する工程は、ユーザの介入なしに、前記ストリーミング時刻に前記ネットワークアドレスで識別される前記ストリーミングサーバにストリーミング要求を送信する工程を備えることを特徴とする請求項５に記載の方法。
【請求項８】
前記メディア・ストリーミングを開始する工程は、
前記ユーザに予定のメディア・ストリーミングを通知する工程と、
メディア・ストリーミングの開始を許可するユーザ入力を、前記無線通信装置で受付ける工程と、
メディア・ストリーミングの開始を許可するユーザ入力の受付けに応答して、前記ネットワークアドレスで識別される前記ストリーミングサーバに、無線リンクを通してストリーミング要求を送信する工程とを備えることを特徴とする請求項１に記載の方法。
【請求項９】
前記メディア・ストリーミングを開始する工程は、ユーザの介入なしに、前記ストリーミング時刻に前記ネットワークアドレスで識別される前記ストリーミングサーバにストリーミング要求を送信する工程を備えることを特徴とする請求項１に記載の方法。
【請求項１０】
前記無線通信装置は、前記ストリーミングサーバの前記ネットワークアドレスのユーザ入力の受付けと前記ストリーミング時刻との間は、電源を切られることを特徴とする請求項１に記載の方法。
【請求項１１】
前記メディア・ストリーミングを開始する工程は、
前記ネットワークアドレスで識別される前記ストリーミングサーバにストリーミング要求を送信する工程と、
前記ストリーミング要求を送信した後に、前記ストリーミング要求で識別される前記ストリーミングサーバから前記メディア・ストリーミング・コンテンツを受信する工程とを備えることを特徴とする請求項１に記載の方法。
【請求項１２】
前記ストリーミング要求を送信する工程は、ＲＴＳＰ（Ｒｅａｌ−Ｔｉｍｅ  Ｓｔｒｅａｍｉｎｇ  Ｐｒｏｔｏｃｏｌ）に準拠して前記ストリーミング要求を送信する工程を備え、
前記メディア・ストリーミング・コンテンツを受信する工程は、ＲＴＰ（Ｒｅａｌ−ｔｉｍｅ  Ｔｒａｎｓｐｏｒｔ  Ｐｒｏｔｏｃｏｌ）に準拠して前記メディア・ストリーミング・コンテンツを受信する工程を備えることを特徴とする請求項１１に記載の方法。
【請求項１３】
前記メディア・ストリーミング・コンテンツを受信する工程は、
前記メディア・ストリーミング・コンテンツを処理する工程と、
前記無線通信装置のユーザインタフェースからの出力として、前記処理済みのメディア・ストリーミング・コンテンツを提供する工程とをさらに備えることを特徴とする請求項１１に記載の方法。
【請求項１４】
前記メディア・ストリーミング・コンテンツは、メディアプレーヤを使用して処理されることを特徴とする請求項１３に記載の方法。
【請求項１５】
前記ネットワークアドレスは、ＵＲＬ（Ｕｎｉｆｏｒｍ  Ｒｅｓｏｕｒｃｅ  Ｌｏｃａｔｏｒ）アドレスを備えることを特徴とする請求項１に記載の方法。
【請求項１６】
前記無線通信装置はインターネットブラウザを含み、
前記ネットワークアドレスのユーザ入力を受付ける工程は、前記ブラウザのブラウザ・ブックマークのリストから前記ネットワークアドレスのユーザ選択を受付ける工程を備えることを特徴とする請求項１に記載の方法。
【請求項１７】
前記ブラウザ・ブックマークのリストは、ストリーミングサーバのためのブラウザ・ブックマークのフィルタ済みリストを備えることを特徴とする請求項１６に記載の方法。
【請求項１８】
前記無線通信装置と別の通信装置との間の無線電話通信を確立する工程をさらに備えることを特徴とする請求項１に記載の方法。
【請求項１９】
前記ストリーミング時刻のユーザ入力を受付ける工程は、ストリーミング時刻、ストリーミング日付およびストリーミングの繰り返し頻度のユーザ入力を受付ける工程を含み、
前記メディア・ストリーミングを開始する工程は、前記ストリーミング日付および前記ストリーミングの繰り返し頻度で決定されるそれに続く日付の前記ストリーミング時刻に、メディア・ストリーミングを開始する工程を備えることを特徴とする請求項１に記載の方法。
【請求項２０】
メディア・ストリーミングの開始後に、前記メディア・ストリーミングに対応して、前記無線通信装置のスピーカで音が発生しているか否かを判定する工程と、
前記メディア・ストリーミングに応答して前記スピーカで音が生成されていない場合、前記スピーカで予備の音を発生する工程とをさらに備えることを特徴とする請求項１に記載の方法。
【請求項２１】
メディア・ストリーミングの開始後に、メディア・ストリーミング・コンテンツがストリーミングサーバから受信されているか否かを判定する工程と、
メディア・ストリーミング・コンテンツがメディア・ストリーミングの開始に応答して受信されていない場合、スピーカで予備の音を発生する工程とをさらに備えることを特徴とする請求項１に記載の方法。
【請求項２２】
前記メディア・ストリーミングに対応して前記無線通信装置のスピーカを使用して、オーディオ・コンテンツを放送する工程をさらに備えることを特徴とする請求項１に記載の方法。
【請求項２３】
無線通信を送信および受信するように構成されている送受信部と、
ユーザ入力を受付け且つユーザ出力を提供するように構成されているユーザインタフェースと、
前記送受信部および前記ユーザインタフェースに結合した制御部であって、将来のメディア・ストリーミングを開始するストリーミング時刻をユーザインタフェースを通したユーザ入力として受付けるように構成され、メディア・ストリーミング・コンテンツを提供するストリーミングサーバのネットワークアドレスのユーザ入力を前記ユーザインタフェースを通したユーザ入力として受付けるように構成され、前記ストリーミング時刻に、前記送受信部を通して無線リンクを媒体として前記ネットワークアドレスで識別される前記ストリーミングサーバからのメディア・ストリーミングを開始するように構成されている前記制御部と、を備えることを特徴とする無線通信装置。
【請求項２４】
前記制御部は、さらに、前記ストリーミング時刻を受付ける前で、且つ前記ネットワークアドレスを受付ける前に、複数の個人整理機能からカレンダ機能の選択を前記ユーザインタフェースを通したユーザ入力として受付けるように構成され、前記カレンダ機能の選択後に、メディア・ストリーミングを開始するストリーミング日付を前記ユーザインタフェースを通したユーザ入力として受付けるように構成され、前記カレンダ機能の選択の受付け後に、前記ストリーミング時刻を受付けるように構成され、前記ストリーミング日付の前記ストリーミング時刻にメディア・ストリーミングを開始するように構成されていることを特徴とする請求項２３に記載の無線通信装置。
【請求項２５】
前記制御部は、さらに、前記ストリーミング時刻を受付ける前で、且つ前記ネットワークアドレスを受付ける前に、カレンダ機能を含む複数の個人整理機能のメニューを提供するように構成され、前記複数の個人整理機能の前記メニューを提供した後に、前記複数の個人整理機能から前記カレンダ機能の選択を受付けるように構成され、前記カレンダ機能を選択するユーザ入力の受付けに応答して、予約機能を含む複数のカレンダ機能のメニューを提供するように構成され、前記複数のカレンダ機能の前記メニューを提供した後に、前記予約機能の選択を受付けるように構成され、前記予約機能の選択を受付けた後に、メディア・ストリーミングを開始するストリーミング日付を受付けるように構成されており、メディア・ストリーミングは前記ストリーミング日付の前記ストリーミング時刻に開始されることを特徴とする請求項２３に記載の無線通信装置。
【請求項２６】
前記制御部は、さらに、アラーム機能の選択後に前記ストリーミング時刻を受付けるように構成され、前記ストリーミング時刻を受付ける前で、且つ前記ネットワークアドレスを受付ける前に、複数の個人整理機能からアラーム機能の選択を受付けるように構成されていることを特徴とする請求項２３に記載の無線通信装置。
【請求項２７】
前記制御部は、さらに、前記ストリーミング時刻にアラームを提供するように構成され、メディア・ストリーミングを開始するユーザ許可を受付けるように構成され、メディア・ストリーミングを開始するユーザ許可の受付けに応答して、前記ネットワークアドレスで識別される前記ストリーミングサーバに、無線リンクを媒体として前記送受信部を通してストリーミング要求を送信するように構成されていることを特徴とする請求項２６に記載の無線通信装置。
【請求項２８】
前記制御部は、さらに、ユーザの介入なしに、前記ストリーミング時刻に前記ネットワークアドレスで識別される前記ストリーミングサーバに、前記送受信部を通してストリーミング要求を送信するように構成されていることを特徴とする請求項２６に記載の無線通信装置。
【請求項２９】
前記制御部は、さらに、前記ユーザインタフェースを通して予定のメディア・ストリーミングを通知するように構成され、前記ユーザインタフェースを通してメディア・ストリーミングを開始する許可を受付けるように構成され、メディア・ストリーミングを開始する許可の受付けに応答して、前記ネットワークアドレスで識別される前記ストリーミングサーバに、前記送受信部を通してストリーミング要求を送信するように構成されていることを特徴とする請求項２３に記載の無線通信装置。
【請求項３０】
前記制御部は、さらに、ユーザの介入なしに、前記ストリーミング時刻に前記ネットワークアドレスで識別される前記ストリーミングサーバに、ストリーミング要求を送信するように構成されていることを特徴とする請求項２３に記載の無線通信装置。
【請求項３１】
前記無線通信装置は、前記ストリーミングサーバの前記ネットワークアドレスの受付けと前記ストリーミング時刻との間は、電源を切られるように構成され、
前記制御部は、さらに、ユーザの介入なしに、前記ストリーミング時刻に前記無線通信装置の電源を入れるように構成されていることを特徴とする請求項２３に記載の無線通信装置。
【請求項３２】
前記制御部は、さらに、前記ネットワークアドレスで識別される前記ストリーミングサーバに、前記送受信部を通してストリーミング要求を送信するように構成され、前記ストリーミング要求の送信後に、前記ストリーミング要求で識別される前記ストリーミングサーバからメディア・ストリーミング・コンテンツを受信するように構成されていることを特徴とする請求項２３に記載の無線通信装置。
【請求項３３】
前記制御部は、ＲＴＳＰ（Ｒｅａｌ−Ｔｉｍｅ  Ｓｔｒｅａｍｉｎｇ  Ｐｒｏｔｏｃｏｌ）に準拠して前記送受信部を通して前記ストリーミング要求を送信するように構成され、ＲＴＰ（Ｒｅａｌ−ｔｉｍｅ  Ｔｒａｎｓｐｏｒｔ  Ｐｒｏｔｏｃｏｌ）に準拠して前記送受信部を通して前記メディア・ストリーミング・コンテンツを受信するように構成されていることを特徴とする請求項３２に記載の無線通信装置。
【請求項３４】
前記制御部は、さらに、前記メディア・ストリーミング・コンテンツを処理するように構成され、前記ユーザインタフェースを通して出力として前記処理済みのメディア・ストリーミング・コンテンツを提供するように構成されていることを特徴とする請求項３２に記載の無線通信装置。
【請求項３５】
前記制御部は、メディアプレーヤを使用して前記メディア・ストリームを処理するように構成されていることを特徴とする請求項３４に記載の無線通信装置。
【請求項３６】
前記ネットワークアドレスは、ＵＲＬ（Ｕｎｉｆｏｒｍ  Ｒｅｓｏｕｒｃｅ  Ｌｏｃａｔｏｒ）アドレスを備えることを特徴とする請求項２３に記載の無線通信装置。
【請求項３７】
インターネットブラウザをさらに備え、
前記ネットワークアドレスのユーザ入力の受付けでは、前記ブラウザのブラウザ・ブックマークのリストから前記ネットワークアドレスのユーザ選択を受付けることを特徴とする請求項３６に記載の無線通信装置。
【請求項３８】
前記ブラウザ・ブックマークのリストは、ストリーミングサーバのためのブラウザ・ブックマークのフィルタ済みリストを備えることを特徴とする請求項３７に記載の無線通信装置。
【請求項３９】
前記制御部は、さらに、前記送受信部を通して別の通信装置と無線電話通信を確立するように構成されていることを特徴とする請求項２３に記載の無線通信装置。
【請求項４０】
前記制御部は、さらに、メディア・ストリーミングの開始後に、前記メディア・ストリーミングに応答して、音が前記無線通信装置のスピーカで発生されているか否かを判定するように構成され、前記メディア・ストリーミングに応答して、音が前記スピーカで発生されていない場合、スピーカで予備の音を発生するように構成されていることを特徴とする請求項２３に記載の無線通信装置。
【請求項４１】
前記制御部は、さらに、メディア・ストリーミングの開始後に、メディア・ストリーミング・コンテンツが前記ストリーミングサーバから受信されているか否かを判定するように構成され、メディア・ストリーミングの開始に応答して、メディア・ストリーミング・コンテンツが受信されていない場合、前記スピーカで予備の音を発生するように構成されていることを特徴とする請求項２３に記載の無線通信装置。
【請求項４２】
前記制御部に結合したスピーカをさらに備え、
前記制御部は、さらに、前記メディア・ストリーミングに応答して、前記スピーカを通してオーディオ・コンテンツを放送するように構成されていることを特徴とする請求項２３に記載の無線通信装置。
【発明の詳細な説明】
【技術分野】
【０００１】
本発明は通信分野に関し、特に、無線通信方法および装置に関する。
【背景技術】
【０００２】
無線電話機および／または携帯情報端末（ＰＤＡ: personal digital assistants）などの手のひらサイズの無線通信装置の処理能力が向上するにつれて、これらの装置向けのさらに高度なアプリケーションが利用できるようになっている。無線アプリケーション・プロトコル（ＷＡＰ: Wireless Application Protocol）を使用可能な無線電話機および／またはＰＤＡは、例えばモバイル・インターネット・アクセスを提供するインターネットブラウザを含むことができる。さらに、無線インターネット・アクセスで入手できるコンテンツは、無線通信システムのバンド幅の増加とインターネットを使用可能な無線電話機およびＰＤＡの使用数の増加で、急速に増えている。それに応じて、無線通信装置のデータ処理機能を改善する必要性が存在し続ける。
【発明の開示】
【０００３】
本発明の実施形態によれば、無線通信装置を操作する方法は、メディア・ストリーミングを開始するストリーミング時刻のユーザ入力を無線通信装置で受付ける工程と、メディア・ストリーミング・コンテンツを提供するストリーミングサーバのネットワークアドレスのユーザ入力を無線通信装置で受付ける工程とを含む。ストリーミング時刻に、メディア・ストリーミングは、無線リンクを通してネットワークアドレスで識別されるストリーミングサーバから開始される。ネットワークアドレスは、例えばＵＲＬ（Ｕｎｉｆｏｒｍ  Ｒｅｓｏｕｒｃｅ  Ｌｏｃａｔｏｒ）アドレスでよく、無線通信装置は、さらに、別の通信装置と無線電話通信を確立するように構成される。ストリーミング時刻は、日付と時刻の両方を含んでよい。代替案としては、メディア・ストリーミングは、通信装置が再プログラムされるまでストリーミング時刻に毎日開始され、ストリーミング時刻は時刻を含むが日付は含まなくてよい。
【０００４】
例えば、無線通信装置でのユーザ入力は、ストリーミング時刻のユーザ入力の受付け前で、且つネットワークアドレスのユーザ入力の受付け前に、複数の個人整理機能からカレンダ機能を選択するために使用される。メディア・ストリーミングを開始するストリーミング日付のユーザ入力は、カレンダ機能を選択するユーザ入力の受付け後に、受付けられる。さらに、ストリーミング時刻のユーザ入力を受付ける工程は、カレンダ機能を選択するユーザ入力の受付け後に、ストリーミング時刻のユーザ入力を受付ける工程を含んでもよく、メディア・ストリーミングを開始する工程は、ストリーミング日付のストリーミング時刻にメディア・ストリーミングを開始する工程を含んでよい。
【０００５】
代替案としては、カレンダ機能を含む複数の個人整理機能のメニューは、ストリーミング時刻のユーザ入力の受付け前で、且つネットワークアドレスのユーザ入力の受付け前に、提供されてもよい。複数の個人整理機能メニューの提供後に、ユーザ入力は、複数の個人整理機能からカレンダ機能を選択して、無線通信装置で受付けられる。カレンダ機能を選択するユーザ入力の受付けに応答して、予約機能を含む複数のカレンダ機能のメニューが提供されてもよく、複数のカレンダ機能のメニューの提供後に、ユーザ入力は、予約機能を選択して無線通信装置で受付けられてよい。予約機能を選択するユーザ入力の受付け後に、メディア・ストリーミングを開始するストリーミング日付のユーザ入力は、無線通信装置で受付けられる。さらに、ストリーミング時刻のユーザ入力は、カレンダ機能を選択するユーザ入力の受付け後に受付けられてよく、メディア・ストリーミングは、ストリーミング日付のストリーミング時刻に開始されてよい。
【０００６】
別の代替案としては、複数の個人整理機能からアラーム機能を選択するユーザ入力は、ストリーミング時刻のユーザ入力の受付け前で、且つネットワークアドレスのユーザ入力の受付け前に、無線通信装置で受付けてよい。さらに、ストリーミング時刻のユーザ入力は、アラーム機能を選択するユーザ入力の受付け後に受付けられてもよく、メディア・ストリーミングは、ストリーミング時刻に開始される。メディア・ストリーミングを開始する工程は、ストリーミング時刻にアラームを提供する工程、メディア・ストリーミングの開始を許可するユーザ入力を無線通信装置で受付ける工程、およびメディア・ストリーミングの開始を許可するユーザ入力の受付けに応答して、ネットワークアドレスで識別されるストリーミングサーバにストリーミング要求を送信する工程を含んでよい。ここで、ストリーミング要求は、無線リンクを通して送信される。代替案としては、メディア・ストリーミングを開始する工程は、ユーザの介入なしに、ストリーミング時刻にネットワークアドレスで識別されるストリーミングサーバに、ストリーミング要求を送信する工程を含んでよい。
【０００７】
さらに、無線通信装置は、ストリーミングサーバのネットワークアドレスのユーザ入力の受付けとストリーミング時刻との間は、電源を切られてもよく、メディア・ストリーミングを開始する工程は、ユーザの介入なしに無線通信装置の電源を入れる工程を含む。さらに、メディア・ストリーミングを開始する工程は、ネットワークアドレスで識別されるストリーミングサーバにストリーミング要求を送信する工程と、ストリーミング要求を送信後に、ストリーミング要求で識別されるストリーミングサーバからメディア・ストリーミング・コンテンツを受信する工程とを含んでよい。さらに詳しくは、ストリーミング要求は、ＲＴＳＰ（Ｒｅａｌ−Ｔｉｍｅ  Ｓｔｒｅａｍｉｎｇ  Ｐｒｏｔｏｃｏｌ）に準拠して伝送されてもよく、メディア・ストリーミング・コンテンツはＲＴＰ（Ｒｅａｌ−ｔｉｍｅ  Ｔｒａｎｓｐｏｒｔ  Ｐｒｏｔｏｃｏｌ）に準拠して受信される。メディア・ストリーミング・コンテンツを受信する工程は、さらに、メディア・ストリーミング・コンテンツを処理する工程と、無線通信装置のユーザインタフェースからの出力として処理済みのメディア・ストリーミング・コンテンツを提供する工程とを含んでよい。メディア・ストリーミング・コンテンツは、例えばメディアプレーヤを使用して、処理されてよい。
【０００８】
本発明のさらに別の実施形態によると、無線通信装置は、無線通信を送信および受信するように構成された送受信部、ユーザ入力を受付けるようにおよびユーザ出力を提供するように構成されたユーザインタフェース、ならびに送受信部とユーザインタフェースとに結合された制御部を含む。制御部は、メディア・ストリーミングを開始するストリーミング時刻を受付けるように構成され、そのストリーミング時刻は、ユーザインタフェースを通してユーザ入力として受付けられる。制御部は、メディア・ストリーミング・コンテンツを提供するストリーミングサーバのネットワークアドレスのユーザ入力を受付け、そのネットワークアドレスは、ユーザインタフェースを通してユーザ入力として受付けられる。さらに、制御部は、送受信部を通して無線リンクを媒体としてストリーミング時刻にネットワークアドレスで識別されるストリーミングサーバからメディア・ストリーミングを開始する。さらに詳しくは、ネットワークアドレスは、ＵＲＬ（Ｕｎｉｆｏｒｍ  Ｒｅｓｏｕｒｃｅ  Ｌｏｃａｔｏｒ）アドレスでよい。また、制御部は、送受信部を通して別の通信装置と無線電話通信を確立するようにさらに構成されてよい。
【０００９】
さらに、ユーザインタフェースを通してユーザ入力として受付けられるカレンダ機能の選択手段を備えて、制御部は、ストリーミング時刻の受付け前で、且つネットワークアドレスの受付け前に、複数の個人整理機能からカレンダ機能の選択を受付けるようにさらに構成されてよい。制御部は、カレンダ機能の選択後に、メディア・ストリーミングを開始するストリーミング日付を受付けるよう構成されてもよく、ストリーミング日付は、ユーザインタフェースを通してユーザ入力として受付けられる。制御部は、カレンダ機能の選択の受付け後に、ストリーミング時刻を受付け、ストリーミング日付のストリーミング時刻にメディア・ストリーミングを開始するようにさらに構成されてよい。
【００１０】
代替案としては、制御部は、ストリーミング時刻の受付け前で、且つネットワークアドレスの受付け前に、カレンダ機能を含む複数の個人整理機能のメニューを提供するように構成されてよい。複数の個人整理機能からカレンダ機能の選択は、複数の個人整理機能のメニューの提供後に受付けられてもよく、予約機能を含む複数のカレンダ機能のメニューが、カレンダ機能を選択するユーザ入力の受付けに応答して提供される。予約機能の選択は、複数のカレンダ機能のメニューの提供後に受付けられてもよく、メディア・ストリーミングを開始するストリーミング日付は、予約機能の選択の受付け後に受付けられる。さらに、ストリーミング時刻は、カレンダ機能の選択後に受付けられてもよく、メディア・ストリーミングは、ストリーミング日付のストリーミング時刻に開始される。
【００１１】
別の代替案としては、制御部は、ストリーミング時刻の受付け前で、且つネットワークアドレスの受付け前に、複数の個人整理機能からアラーム機能の選択を受付け、次に、アラーム機能の選択後にストリーミング時刻を受付けるように構成されてよい。さらに、制御部は、ユーザインタフェースを通して予定のメディア・ストリーミングを通知するように、ユーザインタフェースを通してメディア・ストリーミングを開始する許可を受付け、メディア・ストリーミングを開始する許可の受付けに応答して、ネットワークアドレスで識別されるストリーミングサーバに送受信部を通してストリーミング要求を送信するように構成されてよい。代替案としては、制御部は、ユーザの介入なしにストリーミング時刻にネットワークアドレスで識別されるストリーミングサーバに、ストリーミング要求を送信するように構成される。さらに、無線通信装置は、ストリーミングサーバのネットワークアドレスの受付けとストリーミング時刻との間は、電源が切られてもよく、制御部は、ユーザの介入なしに、ストリーミング時刻に無線通信装置の電源を入れる。
【００１２】
制御部は、ネットワークアドレスで識別されるストリーミングサーバに、送受信部を通してストリーミング要求を送信し、ストリーミング要求の送信後に、ストリーミング要求で識別されるストリーミングサーバからメディア・ストリーミング・コンテンツを受信するようにさらに構成されてよい。例えば、制御部は、ＲＴＳＰ（Ｒｅａｌ−Ｔｉｍｅ  Ｓｔｒｅａｍｉｎｇ  Ｐｒｏｔｏｃｏｌ）に準拠して送受信部を通してストリーミング要求を送信し、ＲＴＰ（Ｒｅａｌ−ｔｉｍｅ  Ｔｒａｎｓｐｏｒｔ  Ｐｒｏｔｏｃｏｌ）に準拠して送受信部を通してメディア・ストリーミング・コンテンツを受信するように構成される。さらに、制御部は、メディア・ストリーミング・コンテンツを処理し、ユーザインタフェースを通して出力として処理済みのメディア・ストリーミング・コンテンツを提供するように構成されてよい。さらに詳しくは、制御部は、メディアプレーヤを使用してメディア・ストリームを処理するように構成されてよい。
【発明を実施するための最良の形態】
【００１３】
本発明の実施形態を示す添付の図を参照して、以下本発明をより完全に記述する。しかし、本発明は、数多くのいろいろな形態で具体化することができ、本文書中に記載される実施形態に限定されると解釈されるべきではない。むしろ、これらの実施形態はその開示が完全で全部そろって、当業者に本発明の範囲を十分に伝えるように提供される。類似の数字は、どこでも類似の要素を参照している。
【００１４】
当業者が理解するように、本発明は、方法または装置として具体化できる。それに応じて、本発明は、ハードウェアの実施形態、ソフトウェアの実施形態、またはソフトウェアの態様とハードウェアの態様とを組み合わせた実施形態の形態を取ってよい。ある要素が別の要素に「接続される」または「結合される」と言及されるとき、その要素は別の要素に直接的に接続または結合されることもできるし、または仲介する要素が存在してもよい。対照的に、ある要素が別の要素に「直接に接続される」または「直接に結合される」と言及されるとき、仲介する要素は存在しない。本文書中で使用される限りでは、用語「および／または」は、１つ以上の関連する列挙項目のあらゆる組み合わせを含む。
【００１５】
第１、第２などの用語は、様々な要素を記述するため本文書中で使用されてはいるが、これらの要素は、これらの用語で限定されるべきではない。これらの用語は、１つの要素または実施形態を別の要素または実施形態と区別するためだけに使用される。したがって、第１の要素または実施形態は、第２の要素または実施形態と呼ぶことができ、同様に第２の要素または実施形態は、本発明の教示から逸脱することなしに、第１の要素または実施形態と呼んでよい。
【００１６】
図１に示すように、本発明の実施形態による無線通信装置１００は、無線リンク１０９を媒体とし、アンテナ１０３を通して無線通信を送信および受信するように構成された送受信部１０１、ユーザから入力を受付けるようにおよびユーザに出力を提供するように構成されたユーザインタフェース１０５、ならびに送受信部１０１およびユーザインタフェース１０５に結合する制御部１０７を含む。一例として、ユーザインタフェース１０５は、無線通信装置１００のユーザから情報を受付けるため、キーパッド１０５ａ、マイクロホン１０５ｂ、ダイヤル１０５ｃおよび／またはジョイスティック１０５ｄなどの１つ以上の入力装置と、無線通信装置１００のユーザに情報を提供するため、ディスプレイ１０５ｅおよび／またはスピーカ１０５ｆなどの１つ以上の出力装置とを含んでよい。さらに、ディスプレイ１０５ｅはユーザからの入力とユーザへの画像および／または映像の出力との両方を提供するタッチセンシティブ・ディスプレイでよい。
【００１７】
無線通信装置１００は、例えば、無線電話機および／または携帯情報端末の機能を提供してよい。さらに詳しくは、無線通信装置１００は、電子カレンダ、アラーム、電子住所録、オーディオ・レコーダ／プレーヤ、無線電話通信、インターネットブラウザ、電子メール送信機／受信機／リーダ、テキストメッセージング、ページング、ノート／メモ・パッド、タイマ、ストップウォッチ、計算機、描画プログラムおよび／または他の機能などの機能を提供してよい。さらに詳しくは、無線通信装置のインターネットブラウザは、無線リンク１０９を媒体としてインターネット・アクセスを利用可能にする無線アプリケーション・プロトコル（ＷＡＰ）などのプロトコルに準拠して動作してよい。それに加えてまたは代替案として、無線電話通信は、ＧＳＭ(Global System for Mobile Communications)標準、符号分割多元接続（ＣＤＭＡ）標準および／またはＰＣＳ(Personal Communications Service)標準などのセルラー方式無線電話通信標準に準拠して提供してよい。
【００１８】
無線電話機の機能を提供するとき、制御部１０７は、キーパッド１０５ａ、タッチセンシティブ・ディスプレイ１０５ｅ、ダイヤル１０５ｃおよび／またはジョイスティック１０５ｄの１つ以上を使用して入力または選択された電話番号に対応した、無線電話呼を開始してよい。別の電話機により開始された無線電話呼を、制御部１０７は、キーパッド１０５ａ、タッチセンシティブ・ディスプレイ１０５ｅ、ダイヤル１０５ｃおよび／またはジョイスティック１０５ｄの１つ以上を使用して提供されたユーザ入力に対応して、受入れまたは拒否してよい。いったん無線電話呼が確立されると、遠くにある電話機からの音声データは、無線リンク１０９、アンテナ１０３および送受信部１０１を通して受信でき、音声データは制御部１０７で処理でき、そして処理された音声データはスピーカ１０５ｆを通して出力できる。無線通信装置１００のユーザからの話はマイクロホン１０５ｂで受付けられ、処理部１０７で処理され、送受信部１０１およびアンテナ１０３を使用して無線リンク１０９を媒体として送信されてよい。
【００１９】
インターネットブラウザ機能を提供するとき、制御部１０７は、無線リンク１０９およびインターネットなどのネットワークを通してサーバにつながるクライアントの機能を果たしてよい。制御部１０７は、例えばキーパッド１０５ａ、ジョイスティック１０５ｄ、ダイヤル１０５ｃおよび／またはタッチセンシティブ・ディスプレイ１０５ｅを通して提供されるユーザ入力に対応して、サーバに情報を要求してよい。次には、サーバは要求された情報を提供することで応答してもよく、その情報は、無線リンク１０９、アンテナ１０３および送受信部１０１を通して受信され、制御部１０７で処理され、ディスプレイ１０５ｅ上に提供される。さらに、制御部１０７は、ストリーミングサーバからメディア・ストリーミングを開始してもよい。メディア・ストリーミング・コンテンツは、無線リンク１０９、アンテナ１０３および送受信部１０１を通して制御部１０７に提供されてもよく、制御部１０７は、メディア・ストリーミング・コンテンツを処理し、ディスプレイ１０５ｅおよび／またはスピーカ１０５ｆで出力するために、処理済みのコンテンツを供給する。オーディオ・コンテンツはスピーカ１０５ｆを通して出力されてもよく、映像コンテンツはディスプレイ１０５ｅを通して出力されてよい。また、ストリーミングサーバからのオーディオ・コンテンツと映像コンテンツは、それぞれスピーカ１０５ｆとディスプレイ１０５ｅから同時に出力されてよい。
【００２０】
図２に示すように、無線通信装置１００との通信は、複数の基地局２０１ａ〜ｃおよび１つの携帯電話中継局（ＭＴＳＯ: mobile telephone switching office）２０３を含む無線通信ネットワークを使用して提供されてよい。さらに、無線通信ネットワークは、公衆交換電話網（ＰＳＴＮ）２０５および／またはインターネットなどのネットワーク２０７に結合されてよい。直接の結合が、ＭＴＳＯ２０３とネットワーク２０７との間で示されている一方で、追加および／または別の結合が提供されてよい。例えば、ＭＴＳＯ２０３とネットワーク２０７との間の結合は、ＰＳＴＮ２０５を通して提供されてもよい。
【００２１】
例えば、無線通信装置１００は、無線電話機の機能を提供してもよく、無線通信ネットワークは、ＧＳＭ、ＣＤＭＡおよび／またはＰＣＳなどのセルラー方式の無線電話標準に準拠するセルラー方式無線電話ネットワークであってよい。それに応じて、無線通信ネットワークは、無線通信装置１００と別の無線電話機２００との間の無線電話および／または他の通信を利用可能にしてよい。図２の例では、無線通信装置１００と無線電話機２００との間の無線電話通信は、無線リンク１０９、基地局２０１ａ、ＭＴＳＯ２０３、基地局２０１ｂ、無線リンク２１１を使用して提供されている。両方の装置が同じ基地局のサービスエリア内にある場合は、それらの間の通信は、ＭＴＳＯなしでおよび／または第２の基地局なしで提供されてよい。さらに、無線電話通信は、無線通信装置１００とＰＳＴＮ２０５に結合する地上の通信線を使用する従来の電話機との間で提供されてよい。
【００２２】
無線通信装置１００がＷＡＰを使用可能である場合には、その無線通信装置は、ネットワーク２０７およびそれに結合する他の装置にアクセスするように構成されてよい。例えば、無線通信装置１００は、ウェブサーバ２１５のＵＲＬアドレスを使用してウェブサーバ２１５に宛てた情報要求を送信するように構成されてもよく、ウェブサーバは、デバイス１００から要求された情報を送信することで応答してよい。無線通信装置１００とウェブサーバ２１５との間のリンクは、無線リンク１０９、基地局２０１ａ、ＭＴＳＯ２０３、ネットワーク２０７を通して提供される。無線通信装置１００は、同様に、ストリーミングサーバ２０９のＵＲＬアドレスを使用してストリーミングサーバ２０９宛てにストリーミング要求を送信するように構成されてもよく、ストリーミングサーバ２０９は、無線通信装置１００にメディア・ストリーミング・コンテンツ（オーディオ、映像および／またはアニメーション等）を提供することで応答してよい。無線通信装置１００とストリーミングサーバ２０９との間のリンクは、例えば無線リンク１０９、基地局２０１ａ、ＭＴＳＯ２０３、ネットワーク２０７を通して提供される。図２では例として、２台のサーバだけが描かれているが、多くのサーバ装置および／またはクライアント装置が直接および／または間接にネットワーク２０７に結合されてよい、ということは理解されるであろう。
【００２３】
本発明の実施形態によれば、制御部１０７は、無線通信装置１００のユーザが前もって入力した情報に基づき、所定の時刻に所定のストリーミングサーバを使ってストリーミングを開始するように構成される。さらに詳しくは、無線通信装置１００のユーザは、キーパッド１０５ａ、タッチセンシティブ・ディスプレイ１０５ｅ、ダイヤル１０５ｃおよび／またはジョイスティック１０５ｄを１つ以上使用して、ストリーミング時刻およびストリーミングサーバ（ストリーミングサーバ２０９等）のネットワークアドレスを入力してよく、制御部１０７は、ユーザインタフェース１０５からストリーミング時刻およびネットワークアドレスを受付ける。ストリーミング時刻としては、ネットワークアドレスで明示されるストリーミングサーバからメディア・ストリーミングを開始する特定の時刻を定めてよい。ネットワークアドレスは、例えばストリーミングサーバの実際のＵＲＬ（Uniform Resource Locator）アドレスでよいし、あるいはネットワークアドレスは、ＵＲＬアドレスの別名アドレスでよいし、またはＵＲＬアドレスへのリンクを提供してもよい。ストリーミング時刻に、制御部１０７は、無線リンク１０９、アンテナ１０３および送受信部１０１を通して、ネットワークアドレスで識別されるストリーミングサーバ（ストリーミングサーバ２０９等）からメディア・ストリーミングを開始する。
【００２４】
いったんストリーミング時刻およびネットワークアドレスが制御部１０７により受付けられると、制御部１０７は、ストリーミング時刻に、ユーザの介入なしに、ネットワークアドレスで識別されるストリーミングサーバ２０９に、送受信部１０１、アンテナ１０３、無線リンク１０９、基地局２０１ａ、ＭＴＳＯ２０３およびネットワーク２０７を通して、ストリーミング要求を送信することにより、メディア・ストリーミングを開始するように構成されている。別の言い方をすれば、制御部１０７は、所定のストリーミング時刻に、ユーザの介入なしに、自動的にメディア・ストリーミングを開始するように構成されている。無線通信装置１００がストリーミング時刻に電源が切られている場合、制御部１０７は、ストリーミング時刻に自動的に無線通信装置１００の電源を入れ、ユーザの介入なしに、メディア・ストリーミングを開始するようにさらに構成されている。
【００２５】
代替案としては、制御部１０７は、ストリーミング要求を送信する前に、ユーザインタフェース１０５を通して予定のメディア・ストリーミングを通知するように構成されてよい。さらに詳しくは、通知は、例えばディスプレイ１０５ｅを使用する視覚式通知および／またはスピーカ１０５ｆを使用する可聴式通知として提供されてよい。次いで、ユーザは、ストリーミング時刻に、キーパッド１０５ａ、タッチセンシティブ・ディスプレイ１０５ｅ、ダイヤル１０５ｃおよび／またはジョイスティック１０５ｄを使用して、メディア・ストリーミングを許可または拒否することを選んでよい。メディア・ストリーミングを開始するユーザの許可を受付けたことに対応して、制御部１０７は、ネットワークアドレスで識別されるストリーミングサーバ２０９に、送受信部１０１を通してストリーミング要求を送信することができる。ユーザがメディア・ストリーミングの許可を入力しない場合またはユーザ入力がメディア・ストリーミングを拒否する場合、制御部１０７は、メディア・ストリーミング・コンテンツをストリーミングサーバ２０９に要求しないおよび／またはストリーミングサーバ２０９から受信しないように、ストリーミング要求を差し控える。予定のメディア・ストリーミングの通知時に、ユーザはストリーミングの許可または拒否をしてもよく、制御部１０７は、ユーザが許可するまで、ストリーミング要求の送信を差し控えるように構成されてよい。
【００２６】
上記のように、制御部１０７は、メディア・ストリーミングを開始するとき、ネットワークアドレスで識別されるストリーミングサーバ２０９に送受信部１０１を通してストリーミング要求を送信する。ストリーミング要求を受取り次第、ストリーミングサーバ２０９は、送受信部１０１を通して制御部１０７で受信されるメディア・ストリーミング・コンテンツを提供する。さらに、ストリーミング要求は、ＲＴＳＰ（Real-Time Streaming Protocol）に準拠して制御部１０７から送受信部１０１を通して送信されてもよく、メディア・ストリーミング・コンテンツは、ＲＴＰ（Real-Time Transport Protocol）を使用してストリーミングサーバ２０９から送信され、送受信部１０１を通して制御部１０７で受信される。
【００２７】
さらに、制御部１０７は、メディア・ストリーミング・コンテンツを処理し、ユーザインタフェース１０５を通して処理済みのメディア・ストリーミング・コンテンツを出力として提供するように構成される。例えば、処理済みのメディア・ストリーミング・コンテンツの音声要素は、スピーカ１０５ｆを通して出力され、処理済みのメディア・ストリーミング・コンテンツの映像、アニメーションまたは画像の部分は、ディスプレイ１０５ｅを通して出力される。さらに詳しくは、制御部は、Ｍｉｃｒｏｓｏｆｔ社のＷｉｎｄｏｗｓ（登録商標）  Ｍｅｄｉａ  ＰｌａｙｅｒまたはＲｅａｌＮｅｔｗｏｒｋｓ社のＲｅａｌＰｌａｙｅｒなどのメディアプレーヤを使用して、受信したメディア・ストリーミング・コンテンツを処理してよい。
【００２８】
本発明の特定の実施形態によると、ストリーミング時刻およびストリーミングサーバのネットワークアドレスは、無線通信装置が提供するカレンダ機能を使用して、制御部１０７でプログラムされる。例えば、無線通信装置は、Ｐａｌｍ  ＯＳ、Ｐｏｃｋｅｔ  ＰＣおよび／または他のＰＤＡオペレーティングシステムなどにより提供されるカレンダ機能を含む個人整理機能(personal organizer functions)を提供する、携帯情報端末（ＰＤＡ）でよい。代替案としては、無線通信装置は、カレンダ機能を含む個人整理機能を提供する無線電話機でよい。さらに、本発明のいくつかの実施形態によるＰＤＡは、無線電話機の機能を提供してもよく、および／または本発明のいくつかの実施形態による無線電話機はＰＤＡ機能を提供してよい。
【００２９】
本発明の実施形態によるカレンダ機能を実装するために使用される画面の例を、図３Ａ〜図３Ｇに図解する。図３Ａ〜図３Ｇの画面は、制御部１０７により生成され、ディスプレイ１０５ｅ上に提供される。特定のテキスト・フォーマットが図３Ａ〜図３Ｇに図解されているが、様々なフォーマットで提供されてよい。代替案としては、図３Ａ〜図３Ｇの情報は、テキストとは対照的にグラフィック・フォーマットで提供されてもよく、あるいは情報はテキストとグラフィックを組み合わせたフォーマットで提供されてよい。例えば、図３Ａ〜図３Ｇの情報は、アイコン、ドロップダウン・メニューおよび／またはテキストを使用して提供されてよい。
【００３０】
無線通信装置１００は、上記のように複数の機能を提供してよい。例えば、無線通信装置１００の電源を入れたとき、開始画面がディスプレイ１０５ｅ上に提供されてもよい。開始画面は、無線電話機の機能、個人整理機能および／またはゲーム機能などの複数の異なる機能へのアクセスを提供する。例えば、これらの機能へのアクセスは、タッチセンシティブ・ディスプレイ１０５ｅ上のそれぞれのアイコンに触れることにより提供されてよい。代替案として、キーパッド１０５ａ、ジョイスティック１０５ｄおよび／またはダイヤル１０５ｃの矢印キーが、装置機能のスクロールおよび選択を可能にしてもよい。
【００３１】
個人整理機能の選択時には、図３Ａの画面がディスプレイ１０５ｅ上に提供される。図３Ａの画面は、「カレンダ」機能、「ノート」機能、「アラーム」機能、「タイマ」機能、「ストップウォッチ」機能、「計算機」機能、「コードメモ」機能、「描画」機能、「ミュージックＤＪ」機能および／または「レコードサウンド」機能などの個人整理機能のメニューを含んでよい。「住所録」機能も、個人整理機能のメニューに含まれてよい。代替案として、「住所録」機能は、個人整理機能とは独立して提供されてよい。タッチセンシティブ・ディスプレイを使用して、希望するメニュー項目は、それぞれのメニュー項目に触れ、次に選択オプションに触れることにより選択される。代替案としては、単にメニュー項目に触れるだけで、別個の選択オプションに触れる必要なしに、選択されてよい。さらにまたは代替案としては、選択は、キーパッド１０５ａ、ダイヤル１０５ｃおよび／またはジョイスティック１０５ｄを使用して実施されてよい。さらに、メニューは、テキスト、グラフィック・アイコン、プルダウン・メニューおよび／またはその組み合わせを使用して提供されてよい。個人整理機能メニューのどの項目も、それぞれの機能に移るために選択され、それに続く画面は、それぞれの個人整理機能のメニュー項目の選択を提供する。また、ディスプレイ上に現れる、および／または例えばドロップダウン・メニューを介してアクセスできる図３Ａの画面上に、より少ないまたはより多いメニュー項目が提供されてもよい。
【００３２】
「カレンダ」機能の選択時には、図３Ｂの画面が、ディスプレイ１０５ｅ上に提供される。図示されるように、図３Ｂの画面は、「日毎ビュー」機能、「週間ビュー」機能、「月間ビュー」機能、「予約追加」機能、「タスク」機能および／または「詳細オプション」機能などのカレンダ機能のメニューを含んでよい。タッチセンシティブ・ディスプレイを使用して、希望するメニュー項目は、それぞれのメニュー項目に触れ、次に選択オプションに触れることにより選択される。代替案においては、単にメニュー項目に触れるだけで、別個の選択オプションに触れる必要なしに、選択されてよい。さらにまたは代替案としては、選択は、キーパッド１０５ａ、ダイヤル１０５ｃおよび／またはジョイスティック１０５ｄを使用して実施されてよい。さらに、メニューは、テキスト、グラフィック・アイコン、プルダウン・メニューおよび／またはその組み合わせを使用して提供されてよい。カレンダメニューのどの項目も、それぞれの機能へ移るために選択され、それに続く画面は、それぞれのカレンダ機能のメニュー項目の選択を提供する。例えば、「日毎ビュー」項目は、その日の予約および／またはタスクを見るために選択され、「週間ビュー」項目は、その週の予約および／またはタスクを見るために選択され、「月間ビュー」は、その月の予約および／またはタスクを見るために選択される。「予約追加」タスクは、カレンダに予約を追加するために選定され、「タスク」項目は、カレンダにタスクを追加するために選択される。さらに、より少ないまたはより多いメニュー項目が、図３Ｂの画面上に提供されてもよい。
【００３３】
「予約追加」機能を選択時には、図３Ｃの予約画面がディスプレイ１０５ｅ上に提供される。予約画面は、予約する件名を記述するテキストの入力を可能にするプロンプト「件名：」を含んでよい。次いで、ユーザは、キーパッド１０５ａ、タッチセンシティブ・ディスプレイ１０５ｅ、ダイヤル１０５ｃおよび／またはジョイスティック１０５ｄを使用して、「Ｇ１０５局からのオーディオ・ストリーム開始」などのテキストを入力する。最終のテキストは、選択オプションを使用して受付けできる。件名テキストの受付け時に、図３Ｄの予約画面がディスプレイ１０５ｅ上に提供される。図３Ｄの予約画面は、予約の場所を記述するテキストの入力を可能にするプロンプト「場所：」を含んでよい。次いで、ユーザは、キーパッド１０５ａ、タッチセンシティブ・ディスプレイ１０５ｅ、ダイヤル１０５ｃおよび／またはジョイスティック１０５ｄを使用して、「午前６時にちょうどここで」などのテキストを入力する。最終テキストは、「選択」項目を使用して受付できる。件名テキストの受付け時に、図３Ｅのアイコン画面がディスプレイ１０５ｅ上に提供されてよい。
【００３４】
図３Ｃ、図３Ｄの画面の件名および場所の入力は、オプションでもよく、図３Ｃ、図３Ｄの画面でさえオプションである。さらに、テキスト入力を手助けする他の画面も含まれてよい。例えば、「ノート」画面が加えられてよい。また別の代替案としては、複数のプロンプトが１つの画面上に提供されてよい。例えば、ただ１つの画面が件名、場所および／またはノートのプロンプトを含んでよい。
【００３５】
図３Ｅのアイコン画面は、「会議」「会合の約束」「旅行」「休暇」「記念日」「その他」および／または「メディア」などの予約種別のメニューを含む。タッチセンシティブ・ディスプレイを使用して、希望するメニュー項目は、それぞれのメニュー項目に触れ、次に選択オプションに触れることにより選択される。代替案としては、単にメニュー項目に触れるだけで、別個の選択オプションに触れる必要なしに、選択されてよい。さらにまたは代替案としては、選択は、キーパッド１０５ａ、ダイヤル１０５ｃおよび／またはジョイスティック１０５ｄを使用して実施されてよい。さらに、メニューは、テキスト、グラフィック・アイコン、プルダウン・メニューおよび／またはその組み合わせを使用して提供されてよい。選択された予約種別は、追加情報として最終予約で提供され、選択された予約種別が、さらに情報の入力を促すプロンプトを開始してよい、および／または、選択された予約種別は、予約の実行に影響を及ぼしてもよい。例えば、予約種別「記念日」の選択は、その先複数年にわたり指定日に予約が記録されてもよい。
【００３６】
予約種別「メディア」の選択時には、図３Ｆの開始日付／時刻画面がディスプレイ１０５ｅ上に提供され、続いて図３Ｇのネットワークアドレス画面が提供される。他の予約種別の選択では、ネットワークアドレス画面の省略をしてもよい。図３Ｆに示すように、開始日付／時刻画面は、プロンプト「日付：」およびプロンプト「時刻：」を含んでおり、ユーザは、メディア予約のため日付（０４／０４／２６等）および（午前０６：００等）を入力する。ユーザは、キーパッド１０５ａ、タッチセンシティブ・ディスプレイ１０５ｅ、ダイヤル１０５ｃおよび／またはジョイスティック１０５ｄを使用して、テキストで日付と時刻を入力してよく、最終テキストは、「選択」オプションを使用して受付けできる。件名テキストの受付け時に、図３Ｇのネットワークアドレス画面がディスプレイ１０５ｅ上に提供されてる。図３Ｇのネットワークアドレス画面は、希望するメディア・ストリーミング・コンテンツを提供するストリーミングサーバのＵＲＬアドレスの入力を要求するプロンプト「ＵＲＬ：」を含む。次いで、ユーザは、「ｒｔｓｐ：／／２５５．２５５．２５５．２５５」などのＵＲＬアドレスを入力する。代替案としては、ＵＲＬアドレスは、ストリーミング・メディア・プロトコル（すなわち、ｒｔｓｐ：／／等）を含むブラウザのブックマークのフィルタ済みリストから選択されてよい。言い変えると、無線通信装置のインターネットブラウザからのブックマークの全部そろったリストがフィルタされて、ブラウザのブックマークのフィルタ済みストリーミングサーバのリストが提供されてよい。
【００３７】
図３Ａ〜図３Ｇの画面で提供されるすべての情報に基づく予約は、図３Ｇの「保存」オプションを使用して、保存される。さらに、図３Ｆ、図３Ｇのプロンプトは、ただ１つの画面に組み合わされてよいし、および／または図３Ｆの日付プロンプトと時刻プロンプトは、別の画面で提供されてよい。
【００３８】
別の代替案としては、カレンダ機能を使用して予約を追加するとき、「頻度(Frequency)」オプションが提供されてよい。例えば、１度限り、毎日、毎週、毎月および／または毎年などの予約の様々な発生頻度の選択を提供するメニュー項目を有する独立した画面が、含まれる。それに応じて、カレンダ機能は、繰り返し発生するメディア・ストリーミング予約を、希望する繰り返しの頻度で１度の予約でプログラムすることができるように、提供される。
【００３９】
図３Ａ〜図３Ｇの画面を順に実施することで、無線通信装置１００に対するメディア予約は、そのカレンダに入力される。それに応じて、制御部１０７は、図３Ｆの画面で入力された日付と時刻に、図３Ｇの画面で入力されたＵＲＬアドレスで識別されるストリーミングサーバからメディア・ストリーミングを開始する。メディア種別は、図３Ｇの画面で入力されたＵＲＬアドレスで識別されるストリーミングサーバに対応して定められる。例えば、ストリーミングサーバは、テレビおよび／またはラジオの生放送、あらかじめ録音された映像および／または音、アニメーション、ライブビデオ等を含んでよい。
【００４０】
メディアが指定の時刻に自動的に提供されるように、図３Ｆの画面で入力される日付と時刻で、制御部１０７は、ユーザの介入なしに指定のストリーミングサーバにストリーミング要求を送信する。さらに詳しくは、データセッションが、回線交換データ（ＣＳＤ: Circuit Switched Data）、汎用パケット無線サービス（ＧＰＲＳ: General Packet Radio Service）、ＥＤＧＥ(Enhanced Data for GSM Evolution)等などの複数の無線データプロトコルのいずれか１つを使用して確立される。代替案としては、制御部１０７は、図３Ｆの画面で入力される日付と時刻（または少し前）に、予定のメディア・ストリーミングの通知をまず提供してもよい。次いで、ユーザは、その通知に応答してメディア・ストリーミングを許可し、ユーザの許可があり次第、制御部１０７は、ストリーミングサーバにストリーミング要求を送信する。ユーザからの応答がない場合および／またはユーザが拒否する場合、制御部１０７は、ストリーミング要求を送信しない。次いで、ストリーミング・オーディオ・コンテンツは、無線通信装置のラウドスピーカに送られる。例えば、スピーカ１０５ｆがラウドスピーカの役を果たしてよいし、独立したラウドスピーカが提供されてよい。
【００４１】
いったんメディア・ストリーミング予約がカレンダに加えられると、メディア・ストリーミング予約は、メディア予約が予定されている日を含むカレンダ表示ビューを使用して見ることができる。メディア・ストリーミング予約は、メディア予約が予定されている日の日毎ビュー、メディア予約が予定されている日を含む１週間の週間ビュー、および／またはメディア予約が予定されている日を含む月の月間ビューで表示される。メディア予約を閲覧するとき、メディア予約の状況を編集および／または削除してよい。
【００４２】
本発明の実施形態によるアラーム機能を実装するために使用される画面の例が、図４Ａ〜図４Ｄに図解されている。図４Ａ〜図４Ｄの画面は、制御部１０７で生成され、ディスプレイ１０５ｅ上に提供される。特定のテキスト・フォーマットが図４Ａ〜図４Ｄで図解されているが、様々なフォーマットで提供されてよい。代替案としては、図４Ａ〜図４Ｄの情報はテキストとは対照的にグラフィック・フォーマットで提供されてよいし、あるいは情報はテキスト・フォーマットとグラフィック・フォーマットの組み合わせで提供されてよい。例えば、図４Ａ〜図４Ｄの情報は、アイコン、ドロップダウン・メニューおよび／またはテキストを使用して提供されてもよい。
【００４３】
無線通信装置１００は、上記の複数の機能を提供する。例えば、開始画面は、無線通信装置１００の電源が入れられたとき、ディスプレイ１０５ｅ上に提供される。開始画面は、無線電話機の機能、個人整理機能および／またはゲーム機能などの複数の異なる機能へのアクセスを提供する。例えば、これらの機能へのアクセスは、タッチセンシティブ・ディスプレイ１０５ｅ上のそれぞれのアイコンを触れることにより提供されてよい。代替案としては、キーパッド１０５ａ、ジョイスティック１０５ｄおよび／またはダイヤル１０５ｃの矢印キーが、装置機能のスクロールと選択を可能にしてよい。
【００４４】
個人整理機能の選択時には、図４Ａの画面がディスプレイ１０５ｅ上に提供されてる（図４Ａの画面は図３Ａの画面と同じ）。図４Ａの画面は、図３Ａに関して先に述べたように「カレンダ」機能、「ノート」機能、「アラーム」機能、「タイマ」機能、「ストップウォッチ」機能、「計算機」機能、「コードメモ」機能、「描画」機能、「ミュージックＤＪ」機能および／または「レコードサウンド」機能などの個人整理機能のメニューを含んでよい。タッチセンシティブ・ディスプレイを使用して、希望するメニュー項目は、それぞれのメニュー項目に触れ、次に選択オプションに触れることにより選択される。代替案としては、単にメニュー項目に触れるだけで、別個の選択オプションに触れる必要なしに選択されてよい。追加または代替案として、選択は、キーパッド１０５ａ、ダイヤル１０５ｃおよび／またはジョイスティック１０５ｄを使用して、実施されてよい。さらに、メニューは、テキスト、グラフィック・アイコン、プルダウン・メニューおよび／またはその組み合わせを使用して提供されてよい。個人整理機能メニューのどの項目も、それぞれの機能に移行するために選択され、それに続く画面はそれぞれの個人整理機能のメニュー項目の選択を提供する。さらに、図４Ａの画面上に、より少ないまたはより多いメニュー項目が提供されてよい。
【００４５】
「アラーム」機能の選択時には、図４Ｂの画面がディスプレイ１０５ｅ上に提供される。図４Ｂの画面は「トーン」機能および「メディア」機能などのアラーム機能のメニューを含む。タッチセンシティブ・ディスプレイを使用して、希望するメニュー項目は、それぞれのメニュー項目に触れ、次に選択オプションに触れることにより選択される。代替案としては、単にメニュー項目に触れるだけで、別個の選択オプションに触れる必要なしに選択されてよい。さらにまたは代替案としては、選択は、キーパッド１０５ａ、ダイヤル１０５ｃおよび／またはジョイスティック１０５ｄを使用して実施されてよい。さらに、メニューはテキスト、グラフィック・アイコン、プルダウン・メニューおよび／またはその組み合わせを使用して提供されてよい。カレンダメニューのどの項目が、それぞれの機能に移行するために選択されてもよく、それに続く画面はそれぞれのメニュー項目の選択を提供してよい。例えば、「トーン」項目は、アラーム音を提供するために選択され、それに続く画面は、利用可能な様々なトーンに関する選択をさらに可能にしてよい。「メディア」項目は、アラームが指定時刻にストリーミング・メディアを提供するために選択される。さらに、図４Ｂの画面上に、より少ないまたはより多いメニュー項目が、提供されてよい。
【００４６】
「メディア」項目の選択時には、図４Ｃの開始日付／時刻画面がディスプレイ１０５ｅ上に提供され、その後に図４Ｄのネットワークアドレス画面が続く。他の予約種別の選択では、ネットワークアドレス画面の省略をらしてよい。図４Ｃに示されるように、開始日付／時刻画面は、「日付：」プロントおよび「時刻：」プロンプトを含み、ユーザはメディアアラームのために、日付（「０４／０４／２６」等）および時刻（「午前０６：００」等）を入力する。次いで、ユーザは、キーパッド１０５ａ、タッチセンシティブ・ディスプレイ１０５ｅ、ダイヤル１０５ｃおよび／またはジョイスティック１０５ｄを使用して、テキストで日付と時刻を入力する。最終テキストは、「選択」項目を使用して受付けできる。日付および時刻の受付け時に、図４Ｄのネットワークアドレス画面は、ディスプレイ１０５ｅ上に提供され、図４Ｄのネットワークアドレス画面は、希望するメディア・ストリーミング・コンテンツを提供するストリーミングサーバのＵＲＬアドレスの入力を要求するプロンプト「ＵＲＬ：」を含む。次いで、ユーザは、「ｒｔｓｐ：／／２５５．２５５．２５５．２５５」などのＵＲＬアドレスを入力する。代替案としては、ＵＲＬアドレスは、ストリーミング・メディア・プロトコル（すなわちｒｔｓｐ：／／等）を含むブラウザ・ブックマークのフィルタ済みリストから選択されてもよい。
【００４７】
図４Ａ〜図４Ｄの画面で提供される全情報に基づくアラームは、図４Ｄの「保存」項目を使用して保存される。さらに、図４Ｃ、図４Ｄのプロンプトは、ただ１つの画面に組み合わされてもよく、および／または図４Ｃの日付プロンプトと時刻プロンプトは別の画面で提供されてもよい。
【００４８】
図４Ａ〜図４Ｄの画面を順に実施することで、メディアアラームは無線通信装置１００により提供される。それに応じて、制御部１０７は、図４Ｃの画面で入力された日付の時刻に、図４Ｄの画面で入力されたＵＲＬアドレスで識別されるストリーミングサーバからメディア・ストリーミングを開始する。メディア種別は、図４Ｄの画面で入力されたＵＲＬアドレスで識別されるストリーミングサーバにより定められてよい。例えば、ストリーミングサーバは、テレビおよび／またはラジオの生放送、あらかじめ録音した映像および／または音、アニメーション、ライブビデオ等などのコンテンツを提供してよい。
【００４９】
メディアがアラーム時刻に自動的に提供されるように、図４Ｃの画面で入力された日付の時刻に、制御部１０７は、ユーザの介入なしに、指定のストリーミングサーバにストリーミング要求を送信する。例えば、無線通信装置１００は、所定の時刻に、ストリーミングサーバからメディアを自動的にプレイするように設定される。さらに詳しくは、データセッションは、回線交換データ（ＣＳＤ）、汎用パケット無線サービス（ＧＰＲＳ）、ＥＤＧＥ等などの複数の無線データプロトコルのいずれか１つを使用して確立される。次いで、ストリーミング・オーディオ・コンテンツは、無線通信装置のラウドスピーカに送られてよい。例えば、スピーカ１０５ｆがラウドスピーカの役を果たしてよいし、独立したラウドスピーカが提供されてよい。ストリーミングサーバが生ラジオ放送を提供する場合、無線通信装置１００は、目覚まし時計付きラジオの機能に等しい機能を提供する。
【００５０】
図４Ｂに示されるように、ユーザは、電話機に格納されているトーンアラーム（トーン項目を選択することにより）とメディアアラーム（メディア項目を選択することにより）のどちらかを選択してよい。メディアアラームが選択される場合は、メディアアラームの時刻と情報源が、図４Ｃ、図４Ｄに関して先に述べたように選択される。トーンアラームが選択される場合は、時刻およびトーン種別が追加メニューを使用して選択される。例えば、無線通信装置に格納された複数の音の１つ（ブザー音、警報音、チャイム、音楽の部分等など）が選択され、および／または複数の音の１つがダウンロードされ、無線通信装置に格納されてもよい。例えば、トーンアラームは、ＡＭＲ(Audio/Modem Riser)、ＭＩＤＩ(Musical Instrument Digital Interface)、ＭＰ３(Moving Pictures Experts Group-1 Layer 3)等などの複数の電子ファイル種別のいずれか１つに準拠してダウンロードされ、および／または装置に格納されてよい。
【００５１】
言い変えると、トーンアラームはアラームの比較的静的なコンテンツの提供のために選択され、トーンアラーム用の静的コンテンツは電話機に格納されていてよい。対照的に、メディアアラームは、ストリーミングサーバのアドレスで識別されるストリーミングサーバからストリームされる動的コンテンツを提供する。メディアアラームが選択されたが、無線通信装置が指定のストリーミングサーバからコンテンツを取得することができない場合（インターネットへのアクセスができないときやストリーミングサーバが機能していないときなど）、アラームは好ましくないことだがたぶん音を発しない。従って、メディアアラームが選択されて、アラーム時刻にストリーミングサーバへのアクセスが試みられたとき、無線通信装置から音が生成されない場合には、無線通信装置は格納されたトーンアラームを変わりに使用してもよい。このようにして、ストリーミングサーバがオフラインの場合、無線通信装置がインターネットにアクセスできない場合、および／または他の理由でストリーミングサーバからのコンテンツが利用できない場合でさえ、無線通信装置のユーザはアラームで注意を喚起される。無線リンクが確立できない、インターネット接続が確立できない、ストリーミングサーバが利用できない、ストリーミングサーバからコンテンツが受信できない、および／またはメディアアラーム中に無線通信装置が指定のストリーミングサーバからコンテンツをストリームしようとするとき、音が生成されない場合には、無線通信装置は警報音、ブザー音、チャイム、音楽の部分、または無線通信装置の不揮発性メモリに格納された他の音などのトーンアラームを変わりに使用してよい。例えば、デフォルトのトーンアラームは、図４Ａ〜図４Ｄの画面に図解されたメニューに加えて別のメニューを使用して選択されてよい。したがって、バックアップの音は、アラーム時刻にメディア・ストリーミングが可聴音を作り出さない場合に、提供される。
【００５２】
上記のように、図３Ａ、図４Ａの個人整理機能の画面は、様々な機能に対する複数のメニューオプションを提供する。カレンダ機能は図３Ａ〜図３Ｇに関して先に検討され、アラーム機能は図４Ａ〜図４Ｄに関して先に検討されている。他の装置機能のいずれかの選択は、選択された機能のそれぞれの画面および／または動作を開始する。例えば、住所録機能は、アドレス情報を取得できる少なくとも１つの名前を表示するため、新しいアドレスレコードを編集するため、新しいアドレスレコードを作成するため、および／または他のアドレス情報を取得するため、および／または住所録に含まれる番号に電話をかけるため選択される。
【００５３】
図面および明細書では、本発明の典型的な好ましい実施形態が開示されており、特定の用語が使用されているが、総称的および記述的な意味でだけ使用され、限定の目的ではない。本発明の範囲は以下の特許請求の範囲に記載される。本文書で使用されている限り、用語「備えている(comprising)」または「備える(comprise)」は、限定しないで、１つ以上の記述された要素、工程および／または機能を含む。さらに詳しくは、本明細書で使用されるとき、用語「備える(comprise)／備えている(comprising)」は記述された特徴、整数、工程または構成要素の存在を明記するが、１つ以上の他の特徴、整数、工程、構成要素またはその集まりの存在または追加を排除しない。
【図面の簡単な説明】
【００５４】
【図１】本発明の実施形態による無線通信装置を示すブロック図である。
【図２】本発明の実施形態による通信ネットワークを示す図である。
【図３Ａ】、
【図３Ｂ】、
【図３Ｃ】、
【図３Ｄ】、
【図３Ｅ】、
【図３Ｆ】、
【図３Ｇ】本発明の実施形態によるカレンダ機能の画面を示す図である。
【図４Ａ】、
【図４Ｂ】、
【図４Ｃ】、
【図４Ｄ】本発明の実施形態によるアラーム機能の表示を示す図である。
【図１】
2008512946.tif 000003
【図２】
2008512946.tif 000004
【図３Ａ】
2008512946.tif 000005
【図３Ｂ】
2008512946.tif 000006
【図３Ｃ】
2008512946.tif 000007
【図３Ｄ】
2008512946.tif 000008
【図３Ｅ】
2008512946.tif 000009
【図３Ｆ】
2008512946.tif 000010
【図３Ｇ】
2008512946.tif 000011
【図４Ａ】
2008512946.tif 000012
【図４Ｂ】
2008512946.tif 000013
【図４Ｃ】
2008512946.tif 000014
【図４Ｄ】
2008512946.tif 000015
【手続補正書】
【提出日】平成18年7月7日(2006.7.7)
【手続補正１】
【補正対象書類名】特許請求の範囲
【補正対象項目名】全文
【補正方法】変更
【補正の内容】
【特許請求の範囲】
【請求項１】
無線通信装置を操作する方法であって、
将来のメディア・ストリーミングを開始するためのストリーミング時刻のユーザ入力を、前記無線通信装置で受付ける工程と、
メディア・ストリーミング・コンテンツを提供するためのストリーミングサーバのネットワークアドレスのユーザ入力を、前記無線通信装置で受付ける工程と、
前記ストリーミング時刻に、無線リンクを通して、前記ネットワークアドレスで識別されるストリーミングサーバからのメディア・ストリーミングを開始するために前記無線通信装置からストリーミング要求を送信して、前記無線通信装置のユーサインタフェースを通して出力するためのメディア・ストリーミングを、前記無線通信装置で受信する工程と、を備えることを特徴とする方法。
【請求項２】
前記ストリーミング時刻のユーザ入力を受付ける前で、且つ前記ネットワークアドレスのユーザ入力を受付ける前に、複数の個人整理機能からカレンダ機能を選択するユーザ入力を、前記無線通信装置で受付ける工程と、
前記カレンダ機能を選択するユーザ入力を受付けた後に、メディア・ストリーミングを開始するストリーミング日付のユーザ入力を、前記無線通信装置で受付ける工程と、をさらに備え、
前記ストリーミング時刻のユーザ入力を受付ける工程は、前記カレンダ機能を選択するユーザ入力を受付けた後に、前記ストリーミング時刻のユーザ入力を受付ける工程を備え、
前記メディア・ストリーミングを開始する工程は、前記ストリーミング日付の前記ストリーミング時刻にメディア・ストリーミングを開始する工程を備えることを特徴とする請求項１に記載の方法。
【請求項３】
前記ストリーミング時刻に、予定のメディア・ストリーミングに関する情報を含む前記ストリーミング日付のカレンダ表示を提供する工程をさらに備えることを特徴とする請求項２に記載の方法。
【請求項４】
前記ストリーミング時刻のユーザ入力を受付ける前で、且つ前記ネットワークアドレスのユーザ入力を受付ける前に、カレンダ機能を含む複数の個人整理機能のメニューを提供する工程と、
前記複数の個人整理機能の前記メニューを提供した後に、前記複数の個人整理機能から前記カレンダ機能を選択するユーザ入力を、前記無線通信装置で受付ける工程と、
前記カレンダ機能を選択するユーザ入力の受付けに応答して、予約機能を含む複数のカレンダ機能のメニューを提供する工程と、
前記複数のカレンダ機能の前記メニューを提供した後に、前記予約機能を選択するユーザ入力を、前記無線通信装置で受付ける工程と、
前記予約機能を選択するユーザ入力を受付けた後に、メディア・ストリーミングを開始するストリーミング日付のユーザ入力を、前記無線通信装置で受付ける工程と、をさらに備え、
前記ストリーミング時刻のユーザ入力を受付ける工程は、前記カレンダ機能を選択するユーザ入力を受付けた後に、前記ストリーミング時刻のユーザ入力を受付ける工程を備え、
前記メディア・ストリーミングを開始する工程は、前記ストリーミング日付の前記ストリーミング時刻にメディア・ストリーミングを開始する工程を備えることを特徴とする請求項１に記載の方法。
【請求項５】
前記ストリーミング時刻のユーザ入力を受付ける前で、且つ前記ネットワークアドレスのユーザ入力の受付け前に、複数の個人整理機能からアラーム機能を選択するユーザ入力を、前記無線通信装置で受付ける工程をさらに備え、
前記ストリーミング時刻のユーザ入力を受付ける工程は、前記アラーム機能を選択するユーザ入力を受付けた後に、前記ストリーミング時刻のユーザ入力を受付ける工程を備え、
前記メディア・ストリーミングを開始する工程は、前記ストリーミング時刻にメディア・ストリーミングを開始する工程を備えることを特徴とする請求項１に記載の方法。
【請求項６】
前記メディア・ストリーミングを開始する工程は、
前記ストリーミング時刻にアラームを提供する工程と、
メディア・ストリーミングの開始を許可するユーザ入力を、前記無線通信装置で受付ける工程と、
メディア・ストリーミングの開始を許可するユーザ入力の受付けに応答して、前記無線通信装置から前記ネットワークアドレスで識別される前記ストリーミングサーバに、無線リンクを通してストリーミング要求を送信する工程とを備えることを特徴とする請求項５に記載の方法。
【請求項７】
前記メディア・ストリーミングを開始する工程は、ユーザの介入なしに、前記ストリーミング時刻に、前記無線通信装置から前記ネットワークアドレスで識別される前記ストリーミングサーバにストリーミング要求を送信する工程を備えることを特徴とする請求項５に記載の方法。
【請求項８】
前記メディア・ストリーミングを開始する工程は、
前記ストリーミング時刻に、前記ユーザに予定のメディア・ストリーミングを通知する工程と、
メディア・ストリーミングの開始を許可するユーザ入力を、前記無線通信装置で受付ける工程と、
メディア・ストリーミングの開始を許可するユーザ入力の受付けに応答して、前記無線通信装置から前記ネットワークアドレスで識別される前記ストリーミングサーバに、無線リンクを通してストリーミング要求を送信する工程とを備えることを特徴とする請求項１に記載の方法。
【請求項９】
前記メディア・ストリーミングを開始する工程は、ユーザの介入なしに、前記ストリーミング時刻に、前記無線通信装置から前記ネットワークアドレスで識別される前記ストリーミングサーバにストリーミング要求を送信する工程を備えることを特徴とする請求項１に記載の方法。
【請求項１０】
前記無線通信装置は、前記ストリーミングサーバの前記ネットワークアドレスのユーザ入力の受付けと前記ストリーミング時刻との間は、電源を切られることを特徴とする請求項１に記載の方法。
【請求項１１】
前記メディア・ストリーミングを開始する工程は、
前記ネットワークアドレスで識別される前記ストリーミングサーバにストリーミング要求を送信する工程と、
前記ストリーミング要求を送信した後に、前記ストリーミング要求で識別される前記ストリーミングサーバから前記メディア・ストリーミング・コンテンツを受信する工程とを備えることを特徴とする請求項１に記載の方法。
【請求項１２】
前記ストリーミング要求を送信する工程は、ＲＴＳＰ（Ｒｅａｌ−Ｔｉｍｅ  Ｓｔｒｅａｍｉｎｇ  Ｐｒｏｔｏｃｏｌ）に準拠して前記ストリーミング要求を送信する工程を備え、
前記メディア・ストリーミング・コンテンツを受信する工程は、ＲＴＰ（Ｒｅａｌ−ｔｉｍｅ  Ｔｒａｎｓｐｏｒｔ  Ｐｒｏｔｏｃｏｌ）に準拠して前記メディア・ストリーミング・コンテンツを受信する工程を備えることを特徴とする請求項１１に記載の方法。
【請求項１３】
前記メディア・ストリーミング・コンテンツを受信する工程は、
前記メディア・ストリーミング・コンテンツを処理する工程と、
前記無線通信装置のユーザインタフェースからの出力として、前記処理済みのメディア・ストリーミング・コンテンツを提供する工程とをさらに備えることを特徴とする請求項１１に記載の方法。
【請求項１４】
前記メディア・ストリーミング・コンテンツは、メディアプレーヤを使用して処理されることを特徴とする請求項１３に記載の方法。
【請求項１５】
前記ネットワークアドレスは、ＵＲＬ（Ｕｎｉｆｏｒｍ  Ｒｅｓｏｕｒｃｅ  Ｌｏｃａｔｏｒ）アドレスを備えることを特徴とする請求項１に記載の方法。
【請求項１６】
前記無線通信装置はインターネットブラウザを含み、
前記ネットワークアドレスのユーザ入力を受付ける工程は、前記ブラウザのブラウザ・ブックマークのリストから前記ネットワークアドレスのユーザ選択を受付ける工程を備えることを特徴とする請求項１に記載の方法。
【請求項１７】
前記ブラウザ・ブックマークのリストは、ストリーミングサーバのためのブラウザ・ブックマークのフィルタ済みリストを備えることを特徴とする請求項１６に記載の方法。
【請求項１８】
前記無線通信装置と別の通信装置との間の無線電話通信を確立する工程をさらに備えることを特徴とする請求項１に記載の方法。
【請求項１９】
前記無線電話通信はセルラー無線電話通信を含むことを特徴とする請求項１８に記載の方法。
【請求項２０】
前記ストリーミング時刻のユーザ入力を受付ける工程は、ストリーミング時刻、ストリーミング日付およびストリーミングの繰り返し頻度のユーザ入力を受付ける工程を含み、
前記メディア・ストリーミングを開始する工程は、前記ストリーミング日付および前記ストリーミングの繰り返し頻度で決定されるそれに続く日付の前記ストリーミング時刻に、メディア・ストリーミングを開始する工程を備えることを特徴とする請求項１に記載の方法。
【請求項２１】
メディア・ストリーミングの開始後に、前記メディア・ストリーミングに対応して、前記無線通信装置のスピーカで音が発生しているか否かを判定する工程と、
前記メディア・ストリーミングに応答して前記スピーカで音が生成されていない場合、前記スピーカで予備の音を発生する工程とをさらに備えることを特徴とする請求項１に記載の方法。
【請求項２２】
メディア・ストリーミングの開始後に、メディア・ストリーミング・コンテンツがストリーミングサーバから受信されているか否かを判定する工程と、
メディア・ストリーミング・コンテンツがメディア・ストリーミングの開始に応答して受信されていない場合、スピーカで予備の音を発生する工程とをさらに備えることを特徴とする請求項１に記載の方法。
【請求項２３】
前記メディア・ストリーミングに対応して前記無線通信装置のスピーカを使用して、オーディオ・コンテンツを放送する工程をさらに備えることを特徴とする請求項１に記載の方法。
【請求項２４】
無線通信を送信および受信するように構成されている送受信部と、
ユーザ入力を受付け且つユーザ出力を提供するように構成されているユーザインタフェースと、
前記送受信部および前記ユーザインタフェースに結合した制御部であって、将来のメディア・ストリーミングを開始するストリーミング時刻をユーザインタフェースを通したユーザ入力として受付けるように構成され、メディア・ストリーミング・コンテンツを提供するストリーミングサーバのネットワークアドレスのユーザ入力を前記ユーザインタフェースを通したユーザ入力として受付けるように構成され、前記ストリーミング時刻に、前記送受信部を通して無線リンクを媒体として前記ネットワークアドレスで識別される前記ストリーミングサーバからのメディア・ストリーミングを開始するために前記無線通信装置からストリーミング要求を送信して、前記ユーサインタフェースを通して出力するためのメディア・ストリーミングを、前記無線通信装置で受信するように構成されている前記制御部と、を備えることを特徴とする無線通信装置。
【請求項２５】
前記制御部は、さらに、前記ストリーミング時刻を受付ける前で、且つ前記ネットワークアドレスを受付ける前に、複数の個人整理機能からカレンダ機能の選択を前記ユーザインタフェースを通したユーザ入力として受付けるように構成され、前記カレンダ機能の選択後に、メディア・ストリーミングを開始するストリーミング日付を前記ユーザインタフェースを通したユーザ入力として受付けるように構成され、前記カレンダ機能の選択の受付け後に、前記ストリーミング時刻を受付けるように構成され、前記ストリーミング日付の前記ストリーミング時刻にメディア・ストリーミングを開始するように構成されていることを特徴とする請求項２４に記載の無線通信装置。
【請求項２６】
前記制御部は、さらに、前記ストリーミング時刻を受付ける前で、且つ前記ネットワークアドレスを受付ける前に、カレンダ機能を含む複数の個人整理機能のメニューを提供するように構成され、前記複数の個人整理機能の前記メニューを提供した後に、前記複数の個人整理機能から前記カレンダ機能の選択を受付けるように構成され、前記カレンダ機能を選択するユーザ入力の受付けに応答して、予約機能を含む複数のカレンダ機能のメニューを提供するように構成され、前記複数のカレンダ機能の前記メニューを提供した後に、前記予約機能の選択を受付けるように構成され、前記予約機能の選択を受付けた後に、メディア・ストリーミングを開始するストリーミング日付を受付けるように構成されており、メディア・ストリーミングは前記ストリーミング日付の前記ストリーミング時刻に開始されることを特徴とする請求項２４に記載の無線通信装置。
【請求項２７】
前記制御部は、さらに、アラーム機能の選択後に前記ストリーミング時刻を受付けるように構成され、前記ストリーミング時刻を受付ける前で、且つ前記ネットワークアドレスを受付ける前に、複数の個人整理機能からアラーム機能の選択を受付けるように構成されていることを特徴とする請求項２４に記載の無線通信装置。
【請求項２８】
前記制御部は、さらに、前記ストリーミング時刻にアラームを提供するように構成され、メディア・ストリーミングを開始するユーザ許可を受付けるように構成され、メディア・ストリーミングを開始するユーザ許可の受付けに応答して、前記ネットワークアドレスで識別される前記ストリーミングサーバに、無線リンクを媒体として前記送受信部を通してストリーミング要求を送信するように構成されていることを特徴とする請求項２７に記載の無線通信装置。
【請求項２９】
前記制御部は、さらに、ユーザの介入なしに、前記ストリーミング時刻に前記ネットワークアドレスで識別される前記ストリーミングサーバに、前記送受信部を通してストリーミング要求を送信するように構成されていることを特徴とする請求項２７に記載の無線通信装置。
【請求項３０】
前記制御部は、さらに、前記ユーザインタフェースを通して予定のメディア・ストリーミングを通知するように構成され、前記ユーザインタフェースを通してメディア・ストリーミングを開始する許可を受付けるように構成され、メディア・ストリーミングを開始する許可の受付けに応答して、前記ネットワークアドレスで識別される前記ストリーミングサーバに、前記送受信部を通してストリーミング要求を送信するように構成されていることを特徴とする請求項２４に記載の無線通信装置。
【請求項３１】
前記制御部は、さらに、ユーザの介入なしに、前記ストリーミング時刻に前記ネットワークアドレスで識別される前記ストリーミングサーバに、ストリーミング要求を送信するように構成されていることを特徴とする請求項２４に記載の無線通信装置。
【請求項３２】
前記無線通信装置は、前記ストリーミングサーバの前記ネットワークアドレスの受付けと前記ストリーミング時刻との間は、電源を切られるように構成され、
前記制御部は、さらに、ユーザの介入なしに、前記ストリーミング時刻に前記無線通信装置の電源を入れるように構成されていることを特徴とする請求項２４に記載の無線通信装置。
【請求項３３】
前記制御部は、さらに、前記ネットワークアドレスで識別される前記ストリーミングサーバに、前記送受信部を通してストリーミング要求を送信するように構成され、前記ストリーミング要求の送信後に、前記ストリーミング要求で識別される前記ストリーミングサーバからメディア・ストリーミング・コンテンツを受信するように構成されていることを特徴とする請求項２４に記載の無線通信装置。
【請求項３４】
前記制御部は、ＲＴＳＰ（Ｒｅａｌ−Ｔｉｍｅ  Ｓｔｒｅａｍｉｎｇ  Ｐｒｏｔｏｃｏｌ）に準拠して前記送受信部を通して前記ストリーミング要求を送信するように構成され、ＲＴＰ（Ｒｅａｌ−ｔｉｍｅ  Ｔｒａｎｓｐｏｒｔ  Ｐｒｏｔｏｃｏｌ）に準拠して前記送受信部を通して前記メディア・ストリーミング・コンテンツを受信するように構成されていることを特徴とする請求項３３に記載の無線通信装置。
【請求項３５】
前記制御部は、さらに、前記メディア・ストリーミング・コンテンツを処理するように構成され、前記ユーザインタフェースを通して出力として前記処理済みのメディア・ストリーミング・コンテンツを提供するように構成されていることを特徴とする請求項３３に記載の無線通信装置。
【請求項３６】
前記制御部は、メディアプレーヤを使用して前記メディア・ストリームを処理するように構成されていることを特徴とする請求項３５に記載の無線通信装置。
【請求項３７】
前記ネットワークアドレスは、ＵＲＬ（Ｕｎｉｆｏｒｍ  Ｒｅｓｏｕｒｃｅ  Ｌｏｃａｔｏｒ）アドレスを備えることを特徴とする請求項２４に記載の無線通信装置。
【請求項３８】
インターネットブラウザをさらに備え、
前記ネットワークアドレスのユーザ入力の受付けでは、前記ブラウザのブラウザ・ブックマークのリストから前記ネットワークアドレスのユーザ選択を受付けることを特徴とする請求項３７に記載の無線通信装置。
【請求項３９】
前記ブラウザ・ブックマークのリストは、ストリーミングサーバのためのブラウザ・ブックマークのフィルタ済みリストを備えることを特徴とする請求項３８に記載の無線通信装置。
【請求項４０】
前記制御部は、さらに、前記送受信部を通して別の通信装置と無線電話通信を確立するように構成されていることを特徴とする請求項２４に記載の無線通信装置。
【請求項４１】
前記無線電話通信はセルラー無線電話通信を含むことを特徴とする請求項４０に記載の無線通信装置。
【請求項４２】
前記制御部は、さらに、メディア・ストリーミングの開始後に、前記メディア・ストリーミングに応答して、音が前記無線通信装置のスピーカで発生されているか否かを判定するように構成され、前記メディア・ストリーミングに応答して、音が前記スピーカで発生されていない場合、スピーカで予備の音を発生するように構成されていることを特徴とする請求項２４に記載の無線通信装置。
【請求項４３】
前記制御部は、さらに、メディア・ストリーミングの開始後に、メディア・ストリーミング・コンテンツが前記ストリーミングサーバから受信されているか否かを判定するように構成され、メディア・ストリーミングの開始に応答して、メディア・ストリーミング・コンテンツが受信されていない場合、前記スピーカで予備の音を発生するように構成されていることを特徴とする請求項２４に記載の無線通信装置。
【請求項４４】
前記制御部に結合したスピーカをさらに備え、
前記制御部は、さらに、前記メディア・ストリーミングに応答して、前記スピーカを通してオーディオ・コンテンツを放送するように構成されていることを特徴とする請求項２４に記載の無線通信装置。
【国際調査報告】
2008512946.tif 000016
2008512946.tif 000017